(57)【要約】      （修正有）【課題】刺股による暴漢の制圧行動において、暴漢によるロッド部の押し返しよりも、アーム部を掴んで捻ることで刺股を無効化したり取り上げたりしようとする抵抗をより効果的に封じることを重視し、これを軽量かつ堅牢、そして可能な限り単純・簡素で低コストな構造とした刺股を提供する。【解決手段】棒状のロッド部１と略Ｕ字状のアーム部２とからなり、ロッド部の前端側と後端側の２か所の外周の一部にロッド部の軸線を回転軸として回動可能に被嵌する円筒状の回転把持部１５を有し、さらにロッド部が回転把持部を有する外筒１０と先端にアーム部を取り付ける内筒１２とからなり、内筒を外筒から引き出して固定可能とすることで、ロッド部の全長を伸縮可能としたことを特徴とする。【選択図】図１
0003189905.tif 000002
【実用新案登録請求の範囲】
【請求項１】
棒状のロッド部と略Ｕ字状のアーム部とからなる暴漢制圧用の刺股であって、ロッド部の外周の一部にはロッド部の軸線を回転軸として回動可能に被嵌する円筒状の回転把持部を有することを特徴とする刺股。
【請求項２】
前記ロッド部は、少なくともその前端側と後端側の２か所に前記回転把持部を有することを特徴とする、請求項１に記載の刺股。
【請求項３】
前記ロッド部は、前記回転把持部を有する外筒と先端にアーム部を取り付ける内筒とからなり、内筒を外筒から引き出して固定可能とすることで、前記ロッド部の全長を伸縮可能としたことを特徴とする、請求項１又は請求項２に記載の刺股。
【考案の詳細な説明】
【技術分野】
【０００１】
本考案は、暴漢制圧用の保安器具である刺股に関する。
【背景技術】
【０００２】
警察官や警備担当者が暴漢の行動を制圧する際に使用される刺股（さすまた）は、一般に棒状のロッド部の先端に略Ｕ字状のアーム部が取り付けられており、使用者がロッド部を把持しつつ暴漢の身体をアーム部で壁等に押付けることでその行動を抑止するものである。しかし、暴漢に対して使用者の腕力が弱い場合には、暴漢にアーム部やロッド部を掴まれて抵抗されると十分に効果を発揮できず、逆に刺股自体を奪われてしまう危険性があった。かかる問題点を解決するために、例えば特許文献１、２、３、４のような器具が提案されている。
【０００３】
特許文献１には、軸部材の先端側の外周に回転可能に被嵌された軸方向に摺動可能な筒状部材を有し、また、軸部材の先端側の先端側の外周に被嵌されるとともに筒状部材の内周側設けられて軸部位の軸方向に伸縮可能な圧縮コイルばねとを具備し、圧縮コイルばねがその末端部を軸部材に固着したばね受け部材に当接するとともに先端部を筒状部材の先端側に形成されたばね受け部に当接させて、暴漢が筒状部材を掴んで押し返したときに、筒状部材が回転するとともに、押し返す力を圧縮コイルばねの圧縮で吸収して緩和する、という構成を有する刺股状の捕捉器具が開示されている。
【０００４】
特許文献２には、棒部（ロッド部に相当）やU字形部（アーム部に相当）に合成樹脂製のチューブ又はパイプよりなる筒状部材を周設した刺股状防護具が開示されているが、これは、暴漢がこれらの部位を掴んで反撃又は脱出しようとしても、筒状部材が回転又は摺動あるいは滑動することで力が入らないような効果を奏するものである。
【０００５】
特許文献３には、二股部（アーム部に相当）や長柄（ロッド部に相当）の先端寄りに放電部を設け、長柄に内蔵した電源から放電部の電極に通電して暴漢に電気ショックを与えることができる刺股が開示されている。また、特許文献４に記載の捕捉器具は、捕捉部（アームに相当）や棒状の軸部（ロッド部に相当）の一部に多数の突起を形成しており、これらを掴んだ暴漢に苦痛を与えることができる。これらは、暴漢による捕捉器具自体の把持を阻止する効果を狙ったものといえる。
【特許文献１】特許第３９９８２６０号公報
【特許文献２】特開２００５−１６４２０４号公開特許公報
【特許文献３】特開２００９−０４７３４２号公開特許公報
【特許文献４】特開２００４−０２０８５６号公開特許公報
【０００６】
特許文献１の捕捉器具は、暴漢による捕捉器具の押し返しと捩じりのいずれをも封ずる効果を狙ったものといえる。ここで、圧縮コイルばねの作用により軸部材自体を伸縮可能とする構成は、確かに暴漢が押し返す力を吸収する効果を奏するが、器具の目的は最終的に暴漢を壁等に押付けてその行動を拘束することである。ところが、かかる構成の捕捉器具の場合、拘束に成功した状態を維持するためには、使用者は圧縮コイルばねの反発力に抗して捕捉器具を強い力で暴漢に押付け続けなければならない。なぜなら、使用者が少しでも力を緩めた場合、圧縮コイルばねの反発力自体が逆に押し返す力となって軸部材の拘束が緩和され、暴漢が拘束から脱出し得る「遊び」が生じるおそれがあるからである。
【０００７】
一方、軸部材自体が圧縮コイルばねにより伸縮する構造によって、暴漢の身体に捕捉部材を当てがってから壁等に押付けて拘束に成功するまでの間、使用者と暴漢との間の距離が不規則に変化し、使用者にとっての「手ごたえ」が不明瞭となる。これは実際の制圧行動において好ましいことではない。
【０００８】
また、一旦壁等に押付けられて拘束された暴漢が脱出あるいは反撃を図ろうとする場合、現実には軸部材の筒状部材を掴んで真っすぐ押し返したり捩じったりするとは限らない。暴漢が捕捉部材の先端を掴んで捩じった場合、その力の作用点の回転半径は使用者の手が把持する軸部材の半径よりも大きいため、使用者は容易に捕捉器具を奪われる可能性が高くなる。この場合、そもそも回転する筒状部材は何の役にも立たない。
【０００９】
さらに、捕捉器具の先端側に圧縮コイルばねや筒状部材を備える構造は、全体の重量増加に加え捕捉器具自体の取り回し上も不利となるほか、構造の複雑化や部品点数の増加は故障や破損の原因ともなり、コストも増加する。実用面を考えた場合、刺股の構造は何よりも軽量性と堅牢性が要求されるのであり、警察や警備会社の使用はともかく、学校等の公共施設への普及も考慮するならばコストも抑制する必要がある。
【００１０】
特許文献２に記載の刺股状防護具は、簡易な構造で軽量化を図れると思われる。しかし、U字形部に筒状部材を回転又は摺動あるいは滑動可能に周設するには、その湾曲した形状故にU字形部の外面と筒状部材の内面は完全に密着させられない。一方、筒状部材が合成樹脂製のチューブ又はパイプよりなる以上、強い外力を受ければ変形して部分的にU字型部の外面に密着するため、所期の回転、摺動、滑動が制限される。そのため、例えば暴漢がU字形部の両先端を両手で強い力で掴んだりした場合、筒状部材の所期の効果は減殺され、容易に暴漢の反撃や脱出を許すことになるおそれがある。
【００１１】
特許文献３に記載の刺股は、長柄（ロッド部に相当）の先端や二股部（アーム部に相当）に放電部を設け、使用者が電源開閉スイッチを操作して通電することで暴漢の身体に放電による電気ショックを与えて制圧するものである。しかし、かかる電気ショックによる制圧は、人道的な観点は別にしても、例えば心臓疾患を有する暴漢に対して使用した場合、心停止を惹起するおそれがあるだけでなく、雨天時の使用においては、最悪の場合、周辺の第三者にも電気ショックを伝導させるなど、過剰な危険性を有する。また、構造の複雑化、重量の増加、故障のおそれ、電源の交換あるいは充電の手間、コストの増加など、実用性の面での問題が多い。
【００１２】
特許文献４に記載の捕捉器具は、軸部（ロッド部に相当）や捕捉部（アーム部に相当）の外面上に多数の突起を設けることで暴漢が掴みにくくする効果を発揮するものである。これも、簡易な構造で軽量化も図れると思われるが、例えば分厚い手袋を着用した暴漢に対しては突起の効果は減殺される。また、暴漢に苦痛を与える効果を期待する突起を有する以上、不用意に使用者や周辺の第三者の顔等に接触させた場合の危険性を排除できないし、屋内等の狭隘な空間では却って使用上の制約となりかねない。また、当然ながらコストの増加も避けられない。
【考案の開示】
【考案が解決しようとする課題】
【００１３】
本考案は、こうした先行技術の問題を解決することを目的として創作されたものである。
刺股による暴漢制圧現場の実情を踏まえれば、制圧対象である暴漢によるロッド部の押し返しよりも、アーム部を掴んで捻ることで刺股を無効化したり取り上げたりしようとする抵抗をより効果的に封じることを重視すべきであり、これを軽量かつ堅牢、そして可能な限り単純・簡素で低コストな構造の刺股で実現することが課題となる。また、警察官や警備担当者以外の特段の訓練を受けていない一般人の使用も考慮すれば、その使用方法も単純明快である必要がある。
【００１４】
本考案は、かかる先行技術の問題に鑑みて創作されたものであり、暴漢にアーム部を掴んで捻られても、無効化されたり取り上げられたりしにくい軽量で堅牢、かつ簡素で定コストな構造の刺股を提供することを目的とする。
【課題を解決するための手段】
【００１５】
まず、請求項１に記載の考案は、棒状のロッド部と略Ｕ字状のアーム部とからなる暴漢制圧用の刺股であって、ロッド部の外周の一部にはロッド部の軸線を回転軸として回動可能に被嵌する円筒状の回転把持部を有することを特徴とする。
【００１６】
刺股は、通常、使用者がロッド部の中央部及び終端部付近を両手で把持して使用する。
本考案でも、使用者は、まずロッド部の回転把持部以外の非回転把持部を把持して暴漢に対峙し、アーム部を暴漢の身体に当てがって制圧を試みる。制圧されそうになった暴漢がアーム部を掴んで捻った場合、アーム部の回転半径はロッド部のそれよりもはるかに大きいため、そのままでは使用者はロッド部の回転に抗して把持することができず、最悪の場合、暴漢に刺股を取り上げられる危険がある。
【００１７】
そこで、暴漢にアーム部を掴まれた場合には、使用者は適宜回転把持部に持ち替えれば良い。回転把持部はロッド部の軸線を回転軸として回動可能に構成されているため、暴漢がアーム部を捻ってもその回転はロッド部には伝わらず、使用者は刺股を把持し続けることができ、態勢を崩すことなく制圧行動を継続できる。また、暴漢が刺股を躱して脱出するためには、一旦、アーム部から手を離さざるを得ない。使用者は、暴漢がアーム部から手を離したら直ちにロッド部の非回転把持部に持ち替え、再びアーム部の態勢を整えて制圧行動を再開する。使用者によるかかるロッド部の持ち替えは、ロッド部から手を離すことなく、その表面を回転把持部へと滑らせるだけで可能であるため、瞬時の持ち替えが可能であり、再び非回転把持部に持ち替え直すことも臨機に可能である。
【００１８】
次に、請求項２に記載の考案は、請求項１に記載の刺股であって、前記ロッド部が、少なくともその前端側と後端側の２か所に前記回転把持部を有することを特徴とする。
【００１９】
使用者は通常、ロッド部の把持を両手で行うため、回転把持部もロッド部の２か所に設けることが適当である。具体的には、ロッド部の前端寄りと後端付近に１か所づつ、それぞれ非回転把持部の前端側に隣接する形で回転把持部を設けることが望ましい。こうすれば、ロッド部の持ち替えの際には、使用者は両手の把持間隔はそのままで非回転把持部から回転把持部へ、あるいはその逆方向にロッド部表面で手を滑らせるだけで持ち替えることができ、状況変化への瞬時の対応が可能となる。非回転把持部３か所以上に設けることも可能であるが、暴漢制圧行動時には使用者は手元を見ながらロッド部を持ち替える余裕はないので、誤操作を防ぐためには回転把持部は２か所とすることが適当である。
【００２０】
次に、請求項３に記載の考案は、請求項１又は請求項２に記載の刺股であって、前記ロッド部が、前記回転把持部を有する外筒と先端にアーム部を取り付ける内筒とからなり、内筒を外筒から引き出して固定可能とすることで、前記ロッド部の全長を伸縮可能としたことを特徴とする。
【００２１】
ロッド部の全長を伸縮可能とすることにより、アーム部と把持部との距離を適宜変更できるため、例えば刃物等の凶器を保持する暴漢に対して、その攻撃可能範囲外からアーム部を突き出すことができる。逆に、狭隘な空間での制圧行動では、ロッド部を伸展させずに短く、取り回しの良い状態で使用することができる。なお、内筒と外筒の間にはロッド部の進展時・短縮時のいずれの状態でもロックできる固定機構を設け、制圧行動中のロッド部の不用意な伸縮を防止することが望ましい。
【考案の効果】
【００２２】
本考案に係る刺股は、制圧対象の暴漢にアーム部を掴んで捻られた場合でも、使用者がロッド部を非回転把持部から回転把持部に瞬時に持ち替えることで暴漢の抵抗力を減殺し、
刺股を暴漢に取り上げられることを防ぐ効果を発揮する。また、本考案に係る刺股は、極めて簡易な構造で軽量かつ堅牢、低コストで製作可能であるから、制圧行動の現場での取り回しに優れ、耐久性も高く、実戦的である。そのため、警察官や警備担当者はもとより、高度な訓練を受けていない一般の使用者もが容易に使用可能であり、比較的低価格での学校や公共施設等への普及配備にも適している。
【考案を実施するための最良の形態】
【００２３】
以下、本考案の実施形態について図を用いて説明する。図１は、本考案に係る刺股の実施形態の一例を示す試作品の側面写真である。刺股は、ロッド部１とその先端に取り付けられたアーム部２からなる。アーム部２は略U字型の主アーム２０と、その一端に逆向きに固定された略U字型の補助アーム２１からなる。補助アーム２１は、暴漢の脚部に引っ掛けて刺股を引くことによりいわゆる「足払い」を掛けて転倒を狙うための部材である。なお、軽量性を重視する観点から、ロッド部１及びアーム部２の主要部材は軽金属製、特にアルミ製とすることが好適である。
【００２４】
ロッド部１は、ロッド外筒１０の内部に第一内筒１１、第二内筒１２を順次入れ子式に収容して全長を伸縮可能としている。ロッド外筒１０には前端寄りと後端部に固定把持部１４を設けているが、これらはロッド外筒１０の表面全周に例えばゴム製の滑り止めグリップ部材を被着固定したものである。また、両固定把持部１４の前側に隣接して回転把持部１５を被嵌している。回転把持部１５は、例えば硬質合成樹脂製の円筒、あるいはそれにゴム製の滑り止めグリップ部材を被着したものであり、ロッド外筒１０に対して自由に回動可能としている。
【００２５】
右利きの使用者の場合、左手で前端寄りの固定把持部１４を、右手で後端部の固定把持部１４をそれぞれ把持して、刺股を自身の身体の右側に構える。そして、制圧行動時に暴漢がアーム部２を掴んで捻ることで脱出又は反撃を試み、使用者がその力に抗し難く刺股を奪い取られそうになった場合には、使用者は即座に片手又は両手を滑らせて回転把持部１５に持ち替えれば良い。それにより、暴漢がアーム部２を捻ってロッド外筒１０が回動しても、その回転力は回転把持部１５には直接伝わらず、使用者の手から刺股が&#25445;ぎ取られることが防がれるのである。暴漢は、アーム部２を掴んだ状態では両手が塞がるため使用者に対、して積極的な抵抗は行えない。使用者は、暴漢が脱出又は反撃のために手を離した際に刺股を引き、固定把持部１４に持ち替えて態勢を整え、制圧行動を再開できる。
【００２６】
図２は、図１にＡとして示したロッド部１の前端寄り部分の、図３は、同じくＢとして示したロッド部１の後端部分のそれぞれの拡大写真である。ＡＢいずれの部分にも、固定把持部１４の前方側に隣接して回転把持部１５が設けられており、両把持部の外径は共通としているため、使用者は手を滑らせるだけで瞬時に把持部を持ち替えることができる。また、本実施例では、固定把持部１４の表面に滑り止め加工を施しており、使用者は手の触覚で固定把持部１４と回転把持部１５を判別可能であるから、制圧行動中でも手元に目をやることなく適確な持ち替えが可能である。
【００２７】
図４は、試作品のロッド部１の全長を伸展した状態を示す側面写真である。ロッド外筒１０の内部に入れ子式で収容した第一内筒１１、第二内筒１２を順次引き出して固定することにより、ロッド部１の全長を約２倍あるいは約３倍に伸展できる。これにより、例えば刃物等の凶器を持つ暴漢に対し、凶器の有効範囲外からの制圧行動が可能となり、使用者の安全性を高めることができる。なお、本実施形態の試作品では、第一第二の内筒の全長はロッド外筒１０よりも若干短く、その内部に収納可能としている。
【００２８】
図５は、図４にＣとして示した第二内筒１２の固定箇所の、図６は、同じくＤとして示した第一内筒１１の固定箇所のそれぞれの拡大写真である。ＣＤの固定構造は共通であり、本実施形態では、ロッド外筒１０と第一内筒１１の前端寄りにはそれぞれバネ機構（図示せず）を有する固定球１６を、第一内筒１１と第二内筒１２の後端寄りの外側面にはそれぞれ固定孔１７を設けている。ロッド部１を伸展した場合、内筒が引き出されて固定孔１７に固定球１６が合致すると、バネ機構の反発力により固定球１６が固定孔１７に嵌合し、内筒が固定される。ロッド部１を短縮する場合は、手動で固定球１６を押し込んで固定を解除し、内筒を収納することができる。
【００２９】
なお、本実施形態では、ロッド部１は第一第二の内筒を備える三段式の構造としたが、本考案に係る刺股は、第一内筒のみを備える二段式構造としてもよいし、伸縮機構を有さない構造としてもよい。
【００３０】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００３１】
本考案に係る刺股は、警察官や警備担当者の警備用装備品として利用可能であるとともに、学校や公共施設の職員等、高度な訓練を受けていない人員でも所定の講習を受ければ有効に使用可能であり、簡易で低コストな保安用具として普及させ得るものである。
【図面の簡単な説明】
【００３２】
【図１】本考案に係る刺股の実施形態としての試作品の側面写真である。
【図２】図１にＡとして示した箇所の拡大写真である。
【図３】図１にＢとして示した箇所の拡大写真である。
【図４】本考案に係る刺股の実施形態としての試作品の伸展状態を示す側面写真である。
【図５】図４にＣとして示した箇所の拡大写真である。
【図６】図４にＤとして示した箇所の拡大写真である。
【符号の説明】
【００３３】
１           ロッド部
２           アーム部
１０       ロッド外筒
１１       第一内筒
１２       第二内筒
１３       尾端キャップ
１４       固定把持部
１５       回転把持部
１６       固定球
１７       固定孔
２０       主アーム
２１       補助アーム
【図１】
0003189905.tif 000003
【図２】
0003189905.tif 000004
【図３】
0003189905.tif 000005
【図４】
0003189905.tif 000006
【図５】
0003189905.tif 000007
【図６】
0003189905.tif 000008